【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
以下を含む発光システム：
複数の発光ユニットであって、該複数の発光ユニットの少なくとも１つの発光ユニットが、
少なくとも１つの光源と、
前記少なくとも１つの発光ユニットと一義的に関連する識別子を記憶するメモリと、
（ｉ）アドレス識別データを受け取り、
（ｉｉ）前記アドレス識別データを、前記識別子の少なくとも一部と比較し、それによりその比較に関する比較値を生成し、
（ｉｉｉ）前記少なくとも１つの発光ユニットの前記少なくとも１つの光源に、その照明状態を前記比較値に応じて維持または変更させる
ように構成されたプロセッサとを含む、前記複数の発光ユニット、および
前記複数の発光ユニットに結合されたシステムコントローラであって、該システムコントローラが、
前記発光ユニットに関連するそれぞれの識別子を決定するための編集モジュールと、
前記発光ユニットに動作可能に結合された、該発光ユニットの照明状態を監視し、該照明状態に関連する情報を前記編集モジュールに伝達するための検出装置とを含む、前記システムコントローラ。
【請求項２】
識別子が、事前プログラムされた複数ビット２値番号である、請求項１に記載の発光システム。
【請求項３】
少なくとも１つの光源が発光ダイオードを含む、請求項１または２に記載の発光システム。
【請求項４】
検出装置が、少なくとも１つの発光ユニットに結合された、
（ｉ）アドレス識別データと、識別子の少なくとも一部との比較に応じて、前記少なくとも１つの発光ユニットにより消費された電力を検知し、
（ｉｉ）前記少なくとも１つの発光ユニットの照明状態を示す出力信号を生成する
ための電力検知モジュールを含む、請求項１〜３のいずれかに記載の発光システム。
【請求項５】
電力検知モジュールが、
少なくとも１つの発光ユニットにより消費された電力に応じてサンプル電圧を蓄積するためのサンプリング抵抗と、
前記サンプル電圧を増幅し、前記少なくとも１つの発光ユニットの照明状態の検出を容易にするための、前記サンプリング抵抗に動作可能に接続された演算増幅器、
とを含む、請求項４に記載の発光システム。
【請求項６】
編集モジュールが、アドレス識別データをプロセッサに宛てるよう構成されている、請求項１〜５のいずれかに記載の発光システム。
【請求項７】
編集モジュールが、少なくとも１つの発光ユニットの識別子を、該少なくとも１つの発光ユニットの１つまたは２つ以上の照明状態に関連する情報に基づいて決定するよう構成されている、請求項１〜６のいずれかに記載の発光システム。
【請求項８】
検出装置が撮像装置を含み、該撮像装置が、少なくとも１つの発光ユニットの照明状態が維持または変更されたときの、該少なくとも１つの発光ユニットの画像を取り込むよう構成され、かつ、照明状態に関連する情報を編集モジュールに通信するようさらに構成されている、請求項１〜３のいずれかに記載の発光システム。
【請求項９】
編集モジュールが、
（ｉ）撮像装置により取り込まれた画像を読み取り、
（ｉｉ）前記画像から、少なくとも１つの発光ユニットの照明状態を決定し、かつ
（ｉｉｉ）照明状態とアドレス識別データとを比較し、前記少なくとも１つの発光ユニットの識別子の少なくとも一部を収集する
よう構成された第２のプロセッサを含む、請求項８に記載の発光システム。
【請求項１０】
画像が、少なくとも１つの発光ユニットの、発光システムにおける位置に関する第２の情報をさらに含み、かつ、第２のプロセッサが、識別子を前記少なくとも１つの発光ユニットの位置に関連づけるようさらに構成されている、請求項９に記載の発光システム。
【請求項１１】
識別子が、事前プログラムされた複数ビット２値番号である、請求項８に記載の発光システム。
【請求項１２】
少なくとも１つの光源が発光ダイオードを含む、請求項8に記載の発光システム。
【請求項１３】
少なくとも１つの発光ダイオード（ＬＥＤ）を含む発光ユニットの識別子を決定する方法であって、以下の操作：
（ａ）前記発光ユニットにアドレス識別データを提供する操作、
（ｂ）前記発光ユニットに前記アドレス識別データを読み取らせる操作、
（ｃ）前記アドレス識別データと、前記発光ユニットの識別子の少なくとも一部とを比較し、比較値を提供する操作、
（ｄ）前記比較値に応じて前記少なくとも１つのＬＥＤにその照明状態を維持させるかまたは変更させる操作、
（ｅ）前記発光ユニットの照明状態を監視し、該発光ユニットに関連する状態情報を提供する操作、
（ｆ）前記状態情報から前記識別子の少なくとも一部を決定する操作、
を含む、前記方法。
【請求項１４】
識別子を発光ユニットにマッピングする操作をさらに含む、請求項１３に記載の方法。
【請求項１５】
発光ユニットが発光ユニットコントローラに動作可能に結合しており、かつ、識別子を該発光ユニットコントローラにマッピングする操作をさらに含む、請求項１３に記載の方法。
【請求項１６】
発光ユニットが、複数の発光ユニットの１つであり、発光ユニットにアドレス識別データを提供する操作が、複数の発光ユニットにアドレス識別データを提供する操作を含み、かつ、発光ユニットの照明状態を監視する操作が、複数の発光ユニットの照明状態を監視する操作を含む、請求項１３に記載の方法。
【請求項１７】
照明状態を監視する操作が、複数の発光ユニットにより消費される電力を監視する操作を含み、かつ、方法が、消費された電力から発光ユニットの数を決定する操作をさらに含む、請求項１６に記載の方法。
【請求項１８】
監視する操作が、発光ユニットにより消費される電力を監視する操作を含む、請求項１３に記載の方法。
【請求項１９】
監視する操作が、少なくとも１つのＬＥＤにその照明状態を維持させるかまたは変更させる操作と同時に、発光ユニットの画像を取り込む操作を含む、請求項１３に記載の方法。
【請求項２０】
識別子を、発光ユニットの位置と関連づける操作をさらに含む、請求項１9に記載の方法。
【請求項２１】
識別子が複数のビットのデータを含み、発光ユニットにアドレス識別データを提供する操作が、複数のビットの選択されて番号をつけられたビットに関連する命令を該発光ユニットに提供することを含み、かつ、アドレス識別データと、発光ユニットの識別子の少なくとも一部とを比較する操作が、前記命令と、前記識別子の選択されて番号をつけられたビットとを比較することを含む、請求項１３に記載の方法。
【請求項２２】
以下の操作：
候補識別子を示す２値探索ツリーを提供する操作、および
前記２値探索ツリーを、状態情報に応答して、識別子の複数のビットのそれぞれが決定されるまで進行する操作、
をさらに含む、請求項２１に記載の方法。
【請求項２３】
少なくとも１つのＬＥＤにその照明状態を維持させるかまたは変更させる操作が、発光ユニットにより放出される色および強度の少なくとも一方を制御することを含む、請求項１３に記載の方法。
【請求項２４】
発光システムを制御する方法であって、該発光システムが複数の発光ユニットを含み、該方法が、以下の操作：
前記複数の発光ユニットのそれぞれの事前プログラムされた識別子を、請求項１３に記載の方法に従って決定する操作、
前記複数の発光ユニットのそれぞれに、その事前プログラムされた識別子にアドレス指定された信号を送る操作（該信号は、前記事前プログラムされた識別子とは異なる作業識別子を提供する）、および
その後、前記複数の発光ユニットの少なくとも１つの前記作業識別子にアドレス指定された少なくとも１つの制御信号を、前記複数の発光ユニットの少なくとも１つに送る操作、
を含む、前記方法。
【手続補正２】
【補正対象書類名】明細書
【補正対象項目名】０１２６
【補正方法】変更
【補正の内容】
【０１２６】
図１２に示す、この実施態様の１つの観点では、電力入力供給接続１１１２Ａおよび１１１２Ｂは、約２０ボルトの電源電圧の供給が可能であり、電力検知モジュール１１１４は、ＬＵＣに結合された発光ユニットの群が消費する負荷電流のアンペア当たり約２ボルト（すなわち、２Ｖ／Ａのゲイン）の、出力信号１１１６を生成するように設計することができる。その他の観点では、プロセッサ１１０２には、約０．０２ボルトの大きさの検出解像度を有するＡ／Ｄ変換器を含めることが可能であり、発光ユニットは、各発光ユニットが通電されたときに約０．１アンペアの電流を消費し、その結果として、群のいずれかのユニットが通電されるときに、（上述の２Ｖ／Ａゲインの基づいて）最低約０．２ボルトの出力信号１１１６を生成する（すなわち、プロセッサのＡ／Ｄ変換器によって容易に分解される）ように設計することができる。別の観点では、発光ユニットの群によって消費される、最小零入力電流（オフ状態電流、通電された光源なし）を時折り計測して、電力検知モジュール１１１４に対して適当な閾値を設定することができ、それによって、出力信号１１１６は、実際に１つまたは２つ以上の光源が実際に通電されることにより、発光ユニットの群によって電力が消費されている場合を、正確に反映する。
【手続補正３】
【補正対象書類名】明細書
【補正対象項目名】０１７７
【補正方法】変更
【補正の内容】
【０１７７】
図１９は、本発明の一実施態様による、ネットワーク化発光システムを示す図である。図１９のシステムにおいては、３つのコントローラ２６Ａ、２６Ｂおよび２６Ｃが、互いに結合されてネットワーク２４１を形成している。特に、コントローラ２６Ａ、２６Ｂおよび２６Ｃのそれぞれは、データポート３２を有し、これを介してデータ２９が、コントローラと、ネットワークに結合された少なくとも１つのその他のデバイスとの間で交換される。図１９は、３つのコントローラを含むネットワークを示すが、本発明はこの意味で限定されるものではなく、任意の数のコントローラを互いに結合してネットワーク２４１を形成できることを認識すべきである。
【手続補正４】
【補正対象書類名】明細書
【補正対象項目名】０２４２
【補正方法】変更
【補正の内容】
【０２４２】
図２６を参照すると、構成ファイル２６００の一実施態様を示してあり、これは発光ユニット１００またはその他のシステムに対して記憶することのできる構成情報のいくつかの要素を示している。すなわち、構成ファイル２６００は、各発光ユニット１００に対する識別子２６０２とともに、環境１００に対する所望の座標系またはマッピングシステム（これは、（ｘ，ｙ，ｚ）座標、極座標、（ｘ，ｙ）座標、その他とすることができる）における、その発光システム１００の位置２６０８を記憶することができる。位置２６０８およびその他の情報は、時間依存である場合があり、そのために構成ファイル２６００には、時間の要素２６０４を含めることができる。構成ファイル２６００は、発光ユニット１００によって照射される位置２６１０の情報を記憶することもできる。この情報は、１組の座標で構成するか、またはこの情報は、環境内で識別される表面、ポリゴン、物体またはのその他の項目とすることができる。構成ファイル２６００は、また、発光ユニット１００の使用に対して利用可能な自由度、例えば色彩範囲２６１２における利用可能な色彩、強度範囲２６１４における利用可能な強度、またはその他についての情報を記憶することもできる。構成ファイル２６００には、また、本発明で開示する制御システムによって制御される、環境内のその他のシステムについての情報、環境内の表面１０７の特徴についての情報、その他も含めることができる。すなわち、構成ファイル２６００は、１組の発光ユニット１００を、それらが環境１００において生成することのできる、条件にマッピングすることができる。
【手続補正５】
【補正対象書類名】明細書
【補正対象項目名】０３４８
【補正方法】変更
【補正の内容】
【０３４８】
図６５は、本発明の原理による発光アセンブリ６５００を示す。発光アセンブリ６５００には、隆起フレーム６４０２と共に、光学部品５９０４を含めることができる。図示したように、隆起フレーム６４０２は、光学部品５９０４の端部まで延びていない。この構造は、光学部品５９０４の端部で、端部キャップ６２０２の封止を可能にするように適合させて、一方で、膨張構成部品６５０２を含めることもできる。膨張構成部品６５０２は、例えば比較的柔らかい材質のゴムで形成することができる。一実施態様においては、膨張構成部品６５０２は、隆起フレーム６４０２の移動を（すなわち、光学部品５９０４上で移動するのを）拘束するのに使用することができる。隆起フレームを拘束する一方で、膨張構成要素６５０２を、隆起フレーム材質と光学部品材質との間の熱膨張不一致を吸収するのに十分なほど軟質にして、発光アセンブリが熱サイクルに曝されるときに、端部キャップが大きな応力を受けないようにすることができる。
【手続補正６】
【補正対象書類名】明細書
【補正対象項目名】０４０６
【補正方法】変更
【補正の内容】
【０４０６】
【図１】本発明の一実施態様による、発光環境におけるデバイスとして役立つ、発光ユニットの一例を示す図である。
【図２】複数の発光ユニットと、中央コントローラとを備える発光システムを示す図である。
【図３】本発明の原理による発光ユニットをプログラミングするためのプログラミングデバイスの概略図である。
【図４】本発明による発光ユニットの様々な構成を示す図である。
【図５】様々な発光ユニットの構成を示す図である。
【図６】線形発光ユニットからなるピラミッド構成を示す図である。
【図７】２次元配列に配置された、ある数の線形発光ユニットを示す図である。
【図８】ある発光ユニットがオン位置にあり、その他がオフ位置にある、図７の配列を示す図である。
【図９】ある発光構成上で発生する時間軸効果を示す図である。
【図１０】本発明の一実施態様による、発光ユニット識別子を特定するための全体処理フローチャートの一例を示す図である。
【図１１】本発明の一実施態様による、電力検知モジュールを含む発光ユニットコントローラの一部を示す図である。
【図１２】本発明の一実施態様による、電力検知モジュールを含む発光ユニットコントローラの回路実装の一例を示す図である。
【図１３】本発明の一実施態様による、図２に示すシステムの複数の発光ユニットに対して可能な識別子を表す、２進樹構造を示す図である。
【図１４Ａ】本発明の一実施態様による識別子特定／学習アルゴリズムを示すフローチャートである。
【図１４Ｂ】本発明の一実施態様による識別子特定／学習アルゴリズムを示すフローチャートである。
【手続補正７】
【補正対象書類名】図面
【補正対象項目名】全図
【補正方法】変更
【補正の内容】
【図１】
2005517278.tif 000001
【図２】
2005517278.tif 000002
【図３】
2005517278.tif 000003
【図４】
2005517278.tif 000004
【図５】
2005517278.tif 000005
【図６】
2005517278.tif 000006
【図７】
2005517278.tif 000007
【図８】
2005517278.tif 000008
【図９】
2005517278.tif 000009
【図１０】
2005517278.tif 000010
【図１１】
2005517278.tif 000011
【図１２】
2005517278.tif 000012
【図１３】
2005517278.tif 000013
【図１４Ａ】
2005517278.tif 000014
【図１４Ｂ】
2005517278.tif 000015
【図１５】
2005517278.tif 000016
【図１６】
2005517278.tif 000017
【図１７】
2005517278.tif 000018
【図１８】
2005517278.tif 000019
【図１９】
2005517278.tif 000020
【図２０】
2005517278.tif 000021
【図２１】
2005517278.tif 000022
【図２２】
2005517278.tif 000023
【図２２Ａ】
2005517278.tif 000024
【図２２Ｂ】
2005517278.tif 000025
【図２３】
2005517278.tif 000026
【図２４】
2005517278.tif 000027
【図２５】
2005517278.tif 000028
【図２６】
2005517278.tif 000029
【図２７】
2005517278.tif 000030
【図２８】
2005517278.tif 000031
【図２９】
2005517278.tif 000032
【図３０】
2005517278.tif 000033
【図３１】
2005517278.tif 000034
【図３２】
2005517278.tif 000035
【図３３】
2005517278.tif 000036
【図３４】
2005517278.tif 000037
【図３５】
2005517278.tif 000038
【図３６】
2005517278.tif 000039
【図３７】
2005517278.tif 000040
【図３８】
2005517278.tif 000041
【図３９】
2005517278.tif 000042
【図４０】
2005517278.tif 000043
【図４１】
2005517278.tif 000044
【図４２】
2005517278.tif 000045
【図４３】
2005517278.tif 000046
【図４４】
2005517278.tif 000047
【図４５】
2005517278.tif 000048
【図４６】
2005517278.tif 000049
【図４７】
2005517278.tif 000050
【図４８】
2005517278.tif 000051
【図４９】
2005517278.tif 000052
【図５０】
2005517278.tif 000053
【図５１】
2005517278.tif 000054
【図５２】
2005517278.tif 000055
【図５３】
2005517278.tif 000056
【図５４】
2005517278.tif 000057
【図５５】
2005517278.tif 000058
【図５６】
2005517278.tif 000059
【図５７】
2005517278.tif 000060
【図５８】
2005517278.tif 000061
【図５９】
2005517278.tif 000062
【図６０】
2005517278.tif 000063
【図６１】
2005517278.tif 000064
【図６２】
2005517278.tif 000065
【図６３】
2005517278.tif 000066
【図６４】
2005517278.tif 000067
【図６５】
2005517278.tif 000068
【図６６】
2005517278.tif 000069
【図６７】
2005517278.tif 000070
【図６８】
2005517278.tif 000071
【図６９】
2005517278.tif 000072
【図７０】
2005517278.tif 000073
【図７１】
2005517278.tif 000074
【図７２】
2005517278.tif 000075
【図７３】
2005517278.tif 000076
【図７４】
2005517278.tif 000077
【図７５】
2005517278.tif 000078
【図７６】
2005517278.tif 000079
【図７７】
2005517278.tif 000080